(57)【要約】【課題】表示性能の低下を抑制してセンシング性能の向上を図ることのできるタッチパネル機能を内蔵する表示装置及び表示パネルを提供する。【解決手段】本発明の一態様による表示装置は、マトリクス状に配置された画素回路ＰＸと、複数の画素回路が配列した行方向に沿って画素回路の行間に延設された複数の水平方向センサ電極ｘと、複数の画素回路が配列した行方向に沿って画素回路の行間に設けられた複数のブロック電極と、複数の画素回路が配列した列方向に沿って画素回路の列間に延設された画素回路用の複数の信号線Ｓと、複数の信号線の内の特定の信号線と、当該特定の信号線に接続するブロック電極からなる複数の垂直方向センサ電極ｙと、水平方向センサ電極と垂直方向センサ電極との間の容量変化を検出する検出部２Ｂとを備えた表示装置である。【選択図】図２
2013152680.tif 000002
【特許請求の範囲】
【請求項１】
マトリクス状に配置された画素回路と、
前記複数の画素回路が配列した行方向に沿って前記画素回路の行間に延設された複数の水平方向センサ電極と、
前記複数の画素回路が配列した行方向に沿って前記画素回路の行間に設けられた複数のブロック電極と、
前記複数の画素回路が配列した列方向に沿って前記画素回路の列間に延設された前記画素回路用の複数の信号線と、
前記複数の信号線の内の特定の信号線と、当該特定の信号線に接続する前記ブロック電極からなる複数の垂直方向センサ電極と、
前記水平方向センサ電極と垂直方向センサ電極との間の容量変化を検出する検出部と
を備えた表示装置。
【請求項２】
前記水平方向センサ電極が設けられる前記画素回路の行間と、前記ブロック電極が設けられる前記画素回路の行間とが交互に配される、請求項１記載の表示装置。
【請求項３】
前記水平方向センサ電極と前記ブロック電極とが前記画素回路の同一行間に設けられる、請求項１記載の表示装置。
【請求項４】
前記画素回路の行間は、前記画素回路の列方向のサイズを短縮して設けられる、請求項２又は３に記載の表示装置。
【請求項５】
前記検出部は、前記水平方向センサ電極及び垂直方向センサ電極のいずれか１方に検出用信号を入力し、前記水平方向センサ電極及び垂直方向センサ電極のいずれか他方から読み出した信号に基づいて前記容量変化を検出する、請求項１に記載の表示装置。
【請求項６】
請求項１乃至５のいずれか１項に記載の、前記画素回路、水平方向センサ電極及び垂直方向センサ電極を備える、表示パネル。
【発明の詳細な説明】
【技術分野】
【０００１】
本発明の実施形態は、表示装置及び表示パネルに関する。
【背景技術】
【０００２】
ユーザインタフェースの形としてタッチパネル機能を具備した表示装置を搭載した携帯電話や携帯情報端末、パーソナルコンピュータなどの電子機器が開発されている。このようなタッチパネル機能を具備した電子機器では、液晶表示装置や有機ＥＬ表示装置などの表示装置に、別途タッチパネル基板を貼り合わせることでタッチパネル機能を付加することが検討されている。
【０００３】
また、近年、ＣＶＤ（Chemical Vapor Deposition）法等によりガラス基板等の透明な絶縁基板上にさまざまな材料で薄膜を形成し、切削や研削等の作業を繰り返し行うことにより、走査線や信号線からなる表示素子や、光センサ素子等を形成して、画像読み取り装置を製造する技術が研究されている。
【０００４】
また、画像読み取り装置の読み取り方式として、光センサ素子等に替えて導電性の電極を配置し、この電極と指等との間の容量変化によりパネル表面の指等の情報を検知するいわゆる静電容量方式により接触位置を検出する技術が研究されている。
【先行技術文献】
【特許文献】
【０００５】
【特許文献１】特開２００４−９３８９４号公報
【発明の概要】
【発明が解決しようとする課題】
【０００６】
そして静電容量方式を用いた表示装置では、液晶などの表示パネル中にタッチパネル機能を組み込む、いわゆるインセル技術が盛んに開発されている。
【０００７】
ところで、表示装置を構成する基板上に接触位置を検出するためのセンサ機能を内蔵することによりタッチパネル機能を実現する際には、表示性能の低下を抑制してセンシング性能の向上を図ることが必要である。
【０００８】
本発明は、上記事情に鑑みてなされたものであって、表示性能の低下を抑制してセンシング性能の向上を図ることのできるタッチパネル機能を内蔵する表示装置及び表示パネルを提供することを目的とする。
【課題を解決するための手段】
【０００９】
本発明の一態様による表示装置は、マトリクス状に配置された画素回路と、前記複数の画素回路が配列した行方向に沿って前記画素回路の行間に延設された複数の水平方向センサ電極と、前記複数の画素回路が配列した行方向に沿って前記画素回路の行間に設けられた複数のブロック電極と、前記複数の画素回路が配列した列方向に沿って前記画素回路の列間に延設された前記画素回路用の複数の信号線と、前記複数の信号線の内の特定の信号線と、当該特定の信号線に接続する前記ブロック電極からなる複数の垂直方向センサ電極と、前記水平方向センサ電極と垂直方向センサ電極との間の容量変化を検出する検出部とを備えた表示装置である。
【図面の簡単な説明】
【００１０】
【図１】第１の実施の形態における表示装置の構成を模式的に示す図。
【図２】第１の実施の形態の表示装置における液晶表示パネルの構成及び等価回路を概略的に示す図。
【図３】第１の実施の形態の表示装置の画素表示モードにおける画像信号の書き込みを説明するための図。
【図４】第１の実施の形態の表示装置の検出モードにおける検出信号の書き込み及び検出動作を説明するための図。
【図５】第１の実施の形態の表示装置の画像表示モードを行う画像信号書込期間と、検出モードを行う検出期間との関係を説明するための図。
【図６】第１の実施の形態の表示装置におけるセンサ電極の構成を説明するための模式図。
【図７】第１の実施の形態の表示装置におけるセンサ電極の構成例を示す図。
【図８】第１の実施の形態の表示装置におけるセンサ電極の一部を拡大して示す図。
【図９】第１の実施の形態の表示装置のバリエーションにおけるセンサ電極の構成例を示す図。
【図１０】第１の実施の形態の表示装置の他のバリエーションにおけるセンサ電極の構成例を示す図。
【図１１】第２の実施の形態の表示装置におけるセンサ電極の構成例を示す図。
【図１２】第１の実施の形態の表示装置におけるセンサ電極の構成例を示す図。
【発明を実施するための形態】
【００１１】
以下、本発明の表示装置の一態様として液晶表示装置について図面を参照しながら詳細に説明する。なお、各図において、同一又は類似した機能を発揮する構成要素には同一の参照符号を付し、重複する説明は省略する。
【００１２】
図１は、第１の実施の形態における表示装置の構成を模式的に示す図である。  
液晶表示装置１は、アクティブマトリクスタイプの液晶表示パネルＬＰＮ、液晶表示パネルＬＰＮに接続された駆動ＩＣチップ２及びフレキシブル配線基板３、液晶表示パネルＬＰＮを照明するバックライト４などを備えている。
【００１３】
液晶表示パネルＬＰＮは、アレイ基板（第１基板）ＡＲと、アレイ基板ＡＲに対向して配置された対向基板（第２基板）ＣＴと、これらのアレイ基板ＡＲと対向基板ＣＴとの間に保持された図示しない液晶層と、を備えて構成されている。このような液晶表示パネルＬＰＮは、画像を表示するアクティブエリアＡＣＴを備えている。このアクティブエリアＡＣＴは、ｍ×ｎ個のマトリクス状に配置された複数の画素ＰＸによって構成されている（但し、ｍ及びｎは正の整数）。
【００１４】
バックライト４は、図示した例では、アレイ基板ＡＲの背面側に配置されている。このような場合、対向基板ＣＴの側に表示面及び接触を検出する検出面が形成されるが、バックライト４が対向基板ＣＴの側に配置された場合には、アレイ基板ＡＲの側に表示面及び検出面が形成される。このようなバックライト４としては、種々の形態が適用可能であり、また、光源として発光ダイオード（ＬＥＤ）を利用したものや冷陰極管（ＣＣＦＬ）を利用したものなどのいずれでも適用可能であり、詳細な構造については説明を省略する。
【００１５】
図２は、第１の実施の形態の表示装置における液晶表示パネルＬＰＮの構成及び等価回路を概略的に示す図である。
【００１６】
アレイ基板ＡＲは、アクティブエリアＡＣＴにおいて、Ｘ方向に沿ってそれぞれ延出したｎ本のゲート配線Ｇ（Ｇ１〜Ｇｎ）及びｎ本の容量線Ｃ（Ｃ１〜Ｃｎ）、Ｘ方向に交差するＹ方向に沿ってそれぞれ延出したｍ本のソース配線Ｓ（Ｓ１〜Ｓｍ）を有している。またアレイ基板ＡＲは、各画素ＰＸにおいてゲート配線Ｇ及びソース配線Ｓと電気的に接続されたｍ×ｎ個のスイッチング素子ＳＷ、各画素ＰＸにおいてスイッチング素子ＳＷに各々電気的に接続されたｍ×ｎ個の画素電極ＰＥ、容量線Ｃの一部であり前記画素電極ＰＥと向かい合う対向電極ＣＥなどを備えている。保持容量Ｃｓは、容量線Ｃと画素電極ＰＥとの間に形成される。液晶層ＬＱは、画素電極ＰＥと対向電極ＣＥとの間に介在する。
【００１７】
各ゲート配線Ｇは、アクティブエリアＡＣＴの外側に引き出され、第１駆動回路ＧＤに接続されている。各ソース配線Ｓは、アクティブエリアＡＣＴの外側に引き出され、第２駆動回路ＳＤに接続されている。各容量線Ｃは、アクティブエリアＡＣＴの外側に引き出され、第３駆動回路ＣＤに接続されている。これらの第１駆動回路ＧＤ、第２駆動回路ＳＤ、及び、第３駆動回路ＣＤは、アレイ基板ＡＲに形成され、駆動ＩＣチップ２と接続されている。
【００１８】
図示した例では、駆動ＩＣチップ２は、液晶表示パネルＬＰＮのアクティブエリアＡＣＴの外側において、アレイ基板ＡＲの上に実装されている。なお、フレキシブル配線基板の図示は省略しており、アレイ基板ＡＲには、フレキシブル配線基板を接続するための端子Ｔが形成されている。これらの端子Ｔは、各種配線を介して駆動ＩＣチップ２に接続されている。
【００１９】
本実施形態において、駆動ＩＣチップ２は、アクティブエリアＡＣＴに画像を表示する画像表示モードにおいて各画素ＰＸの画素電極ＰＥに画像信号を書き込むのに必要な制御を行う画像信号書込回路２Ａと、検出面において物体の接触を検出する検出モードにおいて容量線Ｃとソース配線Ｓとの間の静電容量の変化を検出する検出回路２Ｂと、を備えている。詳細については後述する。
【００２０】
次に、上述した構成の液晶表示パネルＬＰＮを備えた液晶表示装置１における画像表示モード及び検出モードについて説明する。
【００２１】
図３は、第１の実施の形態の表示装置の画素表示モードにおける画像信号の書き込みを説明するための図である。
【００２２】
画像信号書込回路２Ａは、第１駆動回路ＧＤを制御して各ゲート配線Ｇに対して図示しないスイッチング素子ＳＷをオン状態とする制御信号を出力する。また、画像信号書込回路２Ａは、第２駆動回路ＳＤを制御して各ソース配線Ｓに対して画像信号を出力する。ソース配線Ｓに出力された画像信号は、オン状態のスイッチング素子ＳＷを介して図示しない画素電極ＰＥに書き込まれる。一方で、画像信号書込回路２Ａは、第３駆動回路ＣＤを制御して各容量線Ｃに対してコモン電圧を印加する。
【００２３】
これにより、画素電極ＰＥと容量線Ｃの対向電極ＣＥとの間の液晶層ＬＱに対し、画像信号相当の電圧が印加される。液晶層ＬＱでは、印加された電圧に応じて液晶分子が配向し、液晶層ＬＱを透過する光に対する変調率が変化する。このため、バックライトから出射され液晶表示パネルＬＰＮに入射したバックライト光は、画素電極ＰＥ−対向電極ＣＥ間の電圧に依存して選択的に偏光板ＰＬ２を透過する。これにより、表示面に画像信号に対応した画像が表示される。
【００２４】
図４は、第１の実施の形態の表示装置の検出モードにおける検出信号の書き込み及び検出動作を説明するための図である。なお、検出モードにおいては、画素電極ＰＥはフローティングの状態にある。
【００２５】
検出回路２Ｂは、第３駆動回路ＣＤを制御して容量線Ｃに対して検出信号を書き込む。ここでは、検出信号は、例えば交流信号である。このとき、第３駆動回路ＣＤは、複数の容量線Ｃ、図示した例では、隣り合う４本の容量線Ｃに対して同時に検出信号を書き込む。これは、容量線Ｃを複数本ずつ束ねてブロックを形成し、これらの容量線Ｃを検出要素として利用するものである。詳述しないが、第３駆動回路ＣＤは、例えば、各容量線Ｃに接続された１以上のスイッチを含み、画像表示モードにおいては順次スイッチをオンさせて容量線Ｃにコモン電圧を印加するのに対して、検出モードにおいては複数本の容量線Ｃに接続さえたスイッチを同時にオンさせて検出信号を書き込む。
【００２６】
一方で、検出回路２Ｂは、第２駆動回路ＳＤを制御して各ソース配線Ｓをプリチャージする。容量線Ｃには交流の検出信号が書き込まれるため、ソース配線Ｓの電位が変動する。検出回路２Ｂは、このときのソース配線Ｓの電位変動を読み取る。検出面に物体が接近または接触した場合には、容量線Ｃとソース配線Ｓとの間の静電容量が変化する。このような静電容量の変化に伴って、ソース配線Ｓの電位変動も変化する。このため、検出回路２Ｂでは、ソース配線Ｓの電位変動の変化もしくは電流値の変化をモニタすることにより、容量線Ｃとソース配線Ｓとの間の静電容量の変化、つまり、検出面への物体の接近または接触が検出される。そして、検出回路２Ｂは、物体が接触したアクティブエリアの座標を取得する。
【００２７】
なお、第２駆動回路ＳＤは、複数のソース配線Ｓ、図示した例では、隣り合う１２本のソース配線Ｓから同時に電位変動もしくは電流値変動を読み取る。これは、ソース配線Ｓを複数本ずつ束ねてブロックを形成し、これらのソース配線Ｓを検出要素として利用するものである。詳述しないが、第２駆動回路ＳＤは、例えば、各ソース配線Ｓに接続された１以上のスイッチを含み、画像表示モードにおいては順次スイッチをオンさせてソース配線Ｓに画像信号を書き込むのに対して、検出モードにおいては複数本のソース配線Ｓに接続されたスイッチを同時にオンさせてプリチャージした後に電位変動もしくは電流値変動を読み取る。
【００２８】
図５は、第１の実施の形態の表示装置の画像表示モードを行う画像信号書込期間と、検出モードを行う検出期間との関係を説明するための図である。
【００２９】
フレーム周波数が６０Ｈｚの場合、１フレーム期間は約１６．６ｍｓである。１フレームは、画像信号書込期間と、これに続く検出期間とを含んでいる。検出期間は、例えば、次フレームの画像信号書込期間までのブランキング期間である。検出期間においては、上述したように、ソース配線Ｓ及び容量線Ｃを検出要素として用い、検出要素に検出信号を書き込み、ソース配線Ｓと容量線Ｃとの間の静電容量の変化を検出する。
【００３０】
この検出期間では、容量線Ｃのブロック毎に順次ソース配線Ｓの各ブロックの検出動作を行う。
【００３１】
なお、図示した例では、Ｘ方向とＹ方向とに直交して配設される検出要素（センサ電極）としてソース配線Ｓと容量線Ｃとを用い、容量線Ｃに検出信号を書き込み、ソース配線Ｓから静電容量の変化に伴った電位変動を読み取った。しかし、ソース配線Ｓ及び容量線Ｃとは別に設けた、Ｘ方向及びＹ方向に延設された専用の検出要素（センサ電極）検出信号を書込み、静電容量の変化を検出しても良い。
【００３２】
例えば、検出回路２Ｂは、第２駆動回路ＳＤを制御して各Ｙ方向の検出要素をプリチャージする。Ｘ方向の検出要素には交流の検出信号が書き込まれるため、Ｙ方向の検出要素の電位が変動する。検出回路２Ｂは、このときのＹ方向の検出要素の電位変動を読み取る。検出面に物体が接近または接触した場合には、Ｘ方向の検出要素とＹ方向の検出要素との間の静電容量が変化する。このような静電容量の変化に伴って、Ｙ方向の検出要素の電位変動も変化する。このため、検出回路２Ｂでは、Ｙ方向の検出要素の電位変動の変化もしくは電流値の変化をモニタすることにより、Ｘ方向の検出要素とＹ方向の検出要素との間の静電容量の変化、つまり、検出面への物体の接近または接触が検出される。そして、検出回路２Ｂは、物体が接触したアクティブエリアの座標を取得する。
【００３３】
以下には、Ｘ方向とＹ方向の検出要素（以下、センサ電極という。）の種々の構成例について説明する。
【００３４】
図６は、第１の実施の形態の表示装置におけるセンサ電極の構成を説明するための模式図である。  
第１の実施の形態では、それぞれの行の画素ＰＸの行に直交する方向（Ｙ方向）を短くして、画素ＰＸと画素ＰＸとの間に隙間を形成する。そして形成された隙間の領域に単位電極Ｅを設ける。この単位電極Ｅを適宜接続することでセンサ電極を構成する。
【００３５】
図７は、第１の実施の形態の表示装置におけるセンサ電極（水平方向センサ電極ｘ、垂直方向センサ電極ｙ）の構成例を示す図である。  
図７では、奇数行（１行、３行、５行・・・）にある単位電極Ｅが水平方向センサ電極ｘの構成要素となる要素電極であり、偶数行（２行、４行、６行・・・）にある単位電極Ｅが垂直方向センサ電極ｙの構成要素となる要素電極である。
【００３６】
それぞれの奇数行では、単位電極Ｅが左端から右端まで連続的に接続され１行の長い電極として形成される。これが水平方向センサ電極ｘであり、さらにこの水平方向センサ電極ｘを額縁側にて複数本束ねることにより、水平方向検知電極Ｘを形成する。図７では、６本の水平方向センサ電極ｘが束ねられて、１本の水平方向検知電極Ｘが形成されている。
【００３７】
それぞれの偶数行では、連続する単位電極Ｅが所定数だけ接続され所定長のブロック電極として形成される。このブロック電極をソース配線Ｓを利用して列方向につなぐことで1列の電極が形成できる。これが垂直方向センサ電極ｙである。さらにこの垂直方向センサ電極ｙを額縁側にてスイッチを経由して複数本束ねることにより、垂直方向検知電極Ｙを形成する。図７では、４本の垂直方向センサ電極ｙが束ねられて、１本の垂直方向検知電極Ｙが形成されている。
【００３８】
図８は、第１の実施の形態の表示装置におけるセンサ電極（水平方向センサ電極ｘ、垂直方向センサ電極ｙ）の一部を拡大して示す図である。図８は、図７の点線で囲まれる領域を拡大して示している。
【００３９】
水平方向のセンサ電極ｘ（ｎ）、ｘ（ｎ＋１）とブロック電極ｙ（ｎ）、ｙ（ｎ＋１）とが上下の画素ＰＸの間に水平方向に交互に配置されている。ブロック電極ｙ（ｎ）、ｙ（ｎ＋１）は、連続する６個の画素ＰＸを単位として接続される。６本ごとのソース配線Ｓが共用ソース配線ＳＣとなり、それぞれブロック電極ｙ（ｎ）、ｙ（ｎ＋１）と接続部Ｃ（ｎ）、Ｃ（ｎ＋１）において接続されている。
【００４０】
図７、図８に示すセンサ電極の構成によれば、マトリクス状に形成された水平方向センサ電極ｘ、垂直方向センサ電極ｙと接触体（例えば、指）との間で形成される容量の変化を検出することでタッチ座標を検出することができる。
【００４１】
この際、垂直方向センサ電極ｙには、表示用のソース配線Ｓを兼用している。従って、専用の垂直方向センサ電極ｙを設ける場合と比較して開口率の低下を緩和することができ、表示性能の悪化を防ぐことができる。
【００４２】
また、複数の水平方向センサ電極ｘの一端を電気的に接続して１つの水平方向検知電極Ｘを形成している。従って、水平方向の検知感度を向上させることができる。
【００４３】
また、単位電極Ｅを所定数接続してブロック電極を構成し、このブロック電極と共用ソース配線ＳＣとを接続して垂直方向センサ電極ｙを形成する。従って、ブロック電極の存在によって垂直方向センサ電極ｙの感度を向上することができる。
【００４４】
[第１の実施の形態のバリエーション]  
ところで、垂直方向センサ電極ｙを構成するブロック電極は同一のサイズである必要はない。また、垂直方向センサ電極ｙは等間隔で配置される必要もない。
【００４５】
図９は、第１の実施の形態の表示装置のバリエーションにおけるセンサ電極（水平方向センサ電極ｘ、垂直方向センサ電極ｙ）の構成例を示す図である。  
このバリエーションの形態では、１行内には複数のサイズのブロック電極が含まれている。また、一つの垂直方向センサ電極ｙには複数サイズのブロック電極が含まれている。
【００４６】
図１０は、第１の実施の形態の表示装置の他のバリエーションにおけるセンサ電極（水平方向センサ電極ｘ、垂直方向センサ電極ｙ）の構成例を示す図である。  
このバリエーションの形態では、一つの垂直方向センサ電極ｙに含まれるブロック電極のサイズは同一であるが、隣接する垂直方向センサ電極ｙ同士相互の間隔には、異なる間隔が含まれている。
【００４７】
[第２の実施の形態]
第２の実施の形態では、水平方向センサ電極ｘと垂直方向センサ電極ｙの配置が第１の実施の形態と異なっている。第１の実施の形態と類似または同一の部位には同一の符号を付してその詳細の説明は省略する。
【００４８】
図１１は、第２の実施の形態の表示装置におけるセンサ電極（水平方向センサ電極ｘ、垂直方向センサ電極ｙ）の構成例を示す図である。図１２は、第１の実施の形態の表示装置におけるセンサ電極（水平方向センサ電極ｘ、垂直方向センサ電極ｙ）の構成例を示す図である。  
第１の実施の形態では、図１２に示すように垂直方向センサ電極ｙを構成する垂直方向のブロック電極と、水平方向センサ電極ｘとを１画素行毎に交互に配置している。この方式では水平方向センサ電極ｘと垂直方向センサ電極ｙとの間の相互容量を小さくすることができる。そのため、タッチにより指とセンサ電極により形成される自己容量が大きく変化する。
【００４９】
第２の実施の形態では、図１１に示すように垂直方向センサ電極ｙを構成するブロック電極と、水平方向センサ電極ｘとを２画素行毎に並べて配置している。第２の実施の形態では、両電極が第１の実施の形態よりも近接していることから、水平方向センサ電極ｘと垂直方向センサ電極ｙとの間の相互容量は大きくなる。一方、タッチにより指とセンサ電極との間で電界ができるため、相互容量の変化が大きくなる。
【００５０】
なお、第１及び第２の実施の形態の構成をアクティブエリアＡＣＴ内で組み合わせても良いことは言うまでもない。  
なお、上述の各実施の形態では、水平方向センサ電極ｘに検出信号を書き込み、垂直方向センサ電極ｙから静電容量の変化に伴った電位変動を読み取ったが、垂直方向センサ電極ｙに検出信号を書き込み、水平方向センサ電極ｘから静電容量の変化に伴った電位変動を読み取っても良い。また、水平方向センサ電極ｘ及び垂直方向センサ電極ｙを束ねる本数については必要な検出感度に応じて適宜設定することができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
ＬＰＮ…液晶表示パネル、ＡＲ…アレイ基板、ＣＴ…対向基板、ＡＣＴ…アクティブエリア、ＰＸ…画素、Ｇ…ゲート配線、Ｃ…容量線、Ｓ…ソース配線、Ｅ…単位電極、ｘ…水平方向センサ電極、ｙ…垂直方向センサ電極、Ｘ…水平方向検知電極、Ｙ…垂直方向検知電極、ＳＣ…共用ソース配線、２Ａ…画像信号書込回路、２Ｂ…検出回路。
【図１】
2013152680.tif 000003
【図２】
2013152680.tif 000004
【図３】
2013152680.tif 000005
【図４】
2013152680.tif 000006
【図５】
2013152680.tif 000007
【図６】
2013152680.tif 000008
【図７】
2013152680.tif 000009
【図８】
2013152680.tif 000010
【図９】
2013152680.tif 000011
【図１０】
2013152680.tif 000012
【図１１】
2013152680.tif 000013
【図１２】
2013152680.tif 000014